(57)【要約】      （修正有）【課題】熱制御型デバイスでのエネルギー使用を低減するためのシステムを提供する。【解決手段】電気的振る舞いが容量性負荷のそれである透過性物理的要素１００と、ＡＣ電流を透過性物理的要素へ提供して不透過部分１１０と完全透過部分１２０の間の透過性状態のセットを生成させるように作動するパワーディマー装置と、を備える透過性調節デバイス（ＴＡＤ）と、壁に囲まれた閉鎖された空洞と、空洞の中の温度を制御するように適合されている温度計と、を備える熱制御デバイスと、を備え、ＴＡＤが、空洞壁の少なくとも一部分に埋め込まれ、更に、ＴＡＤが空洞を開くことなく空洞の内容物を見えるようにする。【選択図】図１
0003197317.tif 000002
【実用新案登録請求の範囲】
【請求項１】
熱制御型デバイス（ＨＣＤ：heat controlled device）でのエネルギー使用を低減するためのシステムにおいて、
ａ．透過性調節デバイス（ＴＡＤ:transparency adjustment device）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、
ｂ．熱制御デバイスであって、（ｉ）壁に囲まれた閉鎖された空洞と、（ｉｉ）前記空洞の中の温度を制御するように適合されている温度計と、を備える熱制御デバイスと、を備えており、
前記ＴＡＤが、前記空洞壁の少なくとも一部分に埋め込まれており、更に、前記ＴＡＤが、前記空洞を開くことなく当該空洞の内容物を見えるようにすることによって前記温度計エネルギー消費を低減している、システム。
【請求項２】
請求項１に記載のシステムにおいて、前記透過性物理的要素が液晶（ＬＣ）フィルムを備えている、システム。
【請求項３】
請求項１に記載のシステムにおいて、前記透過性状態のセットが更に完全に透けている状態を含んでいる、システム。
【請求項４】
請求項１に記載のシステムにおいて、前記負荷が複合キャパシタ／抵抗器負荷を備えている、システム。
【請求項５】
請求項１に記載のシステムにおいて、前記パワーディマー装置が、前記負荷にパワー供給するパワースイッチと、前記パワースイッチを制御して選択可能にオンにしたりオフにしたりする制御回路と、を備えている、システム。
【請求項６】
請求項５に記載のシステムにおいて、前記負荷を駆動するために、当該負荷へ印加される出力電圧はＡＣ電圧を備えており、よってＤＣ電圧は、たとえあったとしても、せいぜいＡＣ電圧の量の０．５％である、システム。
【請求項７】
請求項５に記載のシステムにおいて、前記パワースイッチが前記負荷と直列に接続されている、システム。
【請求項８】
請求項２に記載のシステムにおいて、前記パワースイッチが、前記ＬＣフィルムと直列に接続されている一対の反直列ＭＯＳＦＥＴスイッチを備えている、システム。
【請求項９】
請求項１に記載のシステムにおいて、前記パワースイッチが、ダイオードブリッジと、前記ダイオードブリッジを介して前記負荷と直列に接続されているＭＯＳＦＥＴスイッチと、を備えている、システム。
【請求項１０】
請求項１に記載のシステムにおいて、前記負荷へ印加されるＡＣ電圧が擬似台形形態をしている、システム。
【請求項１１】
請求項１に記載のシステムにおいて、前記負荷へ印加されるＡＣ電圧が円錐台正弦波形態を有している、システム。
【請求項１２】
請求項２に記載のシステムにおいて、前記液晶フィルムがガラス物体の中へラミネート加工されており、それにより前記ガラス物体の透過性が制御されるようになっている、システム。
【請求項１３】
請求項１２に記載のシステムにおいて、前記ガラス物体が、窓ペイン、窓、ガラス扉ペイン、及びガラス扉、のうちの１つを形成している、システム。
【請求項１４】
請求項５に記載のシステムにおいて、前記負荷へ印加されるＡＣ電圧が、前記制御回路によって確定された電圧レベルに切頭されている円錐台正弦波形態を有していて、前記パワースイッチを介して印加されている、システム。
【請求項１５】
請求項２に記載のシステムにおいて、前記液晶フィルムについて最大定格電圧レベルが定義されており、前記パワーディマー装置は前記液晶フィルムの前記最大定格電圧レベルを超えない既定の最大電圧レベルを有している、システム。
【請求項１６】
請求項５に記載のシステムにおいて、前記パワースイッチがゲートを備える入力点を有しており、前記制御回路は前記パワースイッチの前記入力点を制御するドライバ回路を介して当該パワースイッチへ接続されている、システム。
【請求項１７】
請求項５に記載のシステムにおいて、前記制御回路が、入来ＡＣ電圧レベルとユーザー選択基準電圧を受信し比較するように作動し且つ前記入来ＡＣ電圧レベルが前記ユーザー選択基準電圧に達しているときには前記負荷へ印加される正弦波ＡＣ電圧の切頭をトリガする出力を生成するように作動する比較器を含んでいる、システム。
【請求項１８】
請求項１６に記載のシステムにおいて、前記制御回路が絶縁回路を介して前記ドライバ回路へ接続されている、システム。
【請求項１９】
請求項４に記載のシステムであって、更に、前記複合負荷に並列に配置されていて当該複合負荷へ印加されるＡＣ電圧を増加させるように作動するキャパシタを備えている、システム。
【請求項２０】
請求項５に記載のシステムであって、更に、ＺＶＣ（ゼロ電圧クロッシング）予測回路構成を備えているシステムにおいて、前記ＺＶＣ（ゼロ電圧クロッシング）予測回路構成によってゼロか又はせいぜい既定の小レベル未満の電圧の存在が前記パワースイッチを跨いで呈せられると予測されない限り前記パワースイッチがオンにされない、システム。
【請求項２１】
請求項２０に記載のシステムにおいて、前記ＺＶＣ（ゼロ電圧クロッシング）予測回路構成は「浮動」期間中のＬＣ電圧が変化しないものと仮定している、システム。
【請求項２２】
請求項５に記載のシステムであって、更に、前記パワースイッチを跨いで接続されているＺＶＣ（ゼロ電圧クロッシング）検出回路構成を備えているシステムにおいて、前記ＺＶＣ検出回路構成によって前記パワースイッチを跨いで電圧があったとしても非常に小さい電圧しかないことが検出されない限り当該パワースイッチはオンにされない、システム。
【請求項２３】
請求項２０に記載のシステムであって、前記ＺＶＣ検出回路構成が、前記パワースイッチの端子Ｐ−ＶＤＤ１及び端子ＬＣ−ＶＤＤ１を跨ぐ正弦入力電圧の正負半周期をそれぞれ測定するように作動する、システム。
【請求項２４】
請求項２２に記載のシステムにおいて、前記容量性負荷が、複合キャパシタ／抵抗器負荷を備えており、前記システムは更に前記複合容量性／抵抗性負荷に並列にキャパシタを備えている、システム。
【請求項２５】
請求項１に記載のシステムにおいて、前記パワーディマー装置がユーザーによって手動で制御可能である、システム。
【請求項２６】
請求項１に記載のシステムにおいて、前記パワーディマー装置がＰＣ又はスマートホームシステムの様なコンピューター化されたシステムによって制御可能である、システム。
【請求項２７】
請求項１に記載のシステムにおいて、前記空洞が、冷蔵庫、オーブン、ボイラー、電子レンジ、エンジン、から成る群から選択されている、システム。
【請求項２８】
請求項１に記載のシステムにおいて、前記空洞が追加的に扉を備えている、システム。
【請求項２９】
請求項２８に記載のシステムにおいて、前記扉が追加的に封止ゴムを備えている、システム。
【請求項３０】
請求項１に記載のシステムにおいて、前記ＴＡＤが前記空洞壁の異なった場所に埋め込まれている、システム。
【請求項３１】
請求項１に記載のシステムにおいて、前記ＴＡＤが前記空洞壁に沿って可動である、システム。
【請求項３２】
熱制御型デバイス（ＨＣＤ：heat controlled device）でのエネルギー使用を低減するためのシステムにおいて、
ａ．透過性調節デバイス（ＴＡＤ:transparency adjustment device）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、
ｂ．熱制御デバイスであって、（ｉ）封止手段を有するシールを備える壁に囲まれた空洞と、（ｉｉ）前記空洞の中の温度を制御するように適合されている温度計と、を備える熱制御デバイスと、を備えており、
前記ＴＡＤが、前記空洞壁の少なくとも一部分に埋め込まれており、更に、前記ＴＡＤが、前記空洞を開くことなく当該空洞の内容物を見えるようにすることによって前記封止手段の腐食を低減している、システム。
【請求項３３】
閉鎖された空洞を遮光するためのシステムにおいて、
ａ．透過性調節デバイス（ＴＡＤ）を少なくとも部分的に備える少なくとも１つの表面であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備えている、透過性調節デバイス（ＴＡＤ）を少なくとも部分的に備える少なくとも１つの表面と、
ｂ．空洞であって、（ｉ）当該空洞の内部と（ｉｉ）当該空洞の外部の間の少なくとも１つの表面バファリングを備える空洞と、を備えており、
前記パワーディマーが、前記透過性物理的要素の透過性状態の変化によって前記空洞の遮光を制御している、システム。
【請求項３４】
請求項３３に記載のシステムにおいて、前記空洞が、自動車、トラック、航空機、エレベータ、列車、バス、及び船艇、から成る群から選択されている、システム。
【請求項３５】
請求項３３に記載のシステムにおいて、前記ＴＡＤが、前記自動車の窓、サンルーフ、及びそれらの組合せ、から成る群から選択された表面に埋め込まれている、システム。
【請求項３６】
共用部屋でのプライバシーを提供するためのシステムにおいて、
ａ．Ｎを１より大きい整数として複数のＮ個の空間と、
ｂ．複数のＮ−１個の透過性調節デバイス（ＴＡＤ）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、を備えており、
前記Ｎ−１個のＴＡＤのそれぞれが幾つかの前記個人空間同士を分離している、システム。
【請求項３７】
照明システムの隠蔽のためのシステムにおいて、
ａ．少なくとも１つの表面であって、Ｎ個のパラメータによって特徴付けられていて、当該Ｎ個のパラメータのうちの少なくとも１つは透過性パラメータである、少なくとも１つの表面と、
ｂ．前記少なくとも１つの第１の表面の中へ陥凹式に嵌め込まれている照明システムと、
ｃ．少なくとも１つの透過性調節デバイス（ＴＡＤ）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤは前記照明システムを覆うように構成されている、その様な透過性調節デバイス（ＴＡＤ）と、を備えており、
前記ＴＡＤが前記照明システムの作動と同期して透過状態になるように構成されている、システム。
【請求項３８】
画像と動的に相互作用する画面において、
構造化された層に構築されている複数のＮ個の透過性調節デバイス（ＴＡＤ）であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤのそれぞれは、色によって特徴付けられている、その様な複数のＮ個の透過性調節デバイス（ＴＡＤ）を備えており、
前記層のそれぞれが独立に異なった透過性状態へ構成されるように適合されており、それにより、画面は当該画面に投影される画像の所定部分を転写するように適合されている、画面。
【請求項３９】
投影画像と実物体を重畳するための画面において、
構造化された層に構築されている透過性調節デバイス（ＴＡＤ）であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤは投影機と物体との間に配設されている、その様なＴＡＤ、を備えており、
前記ＴＡＤが、前記投影機によって当該ＴＡＤに投影される画像を少なくとも部分的に転写するように構成されており、それにより、前記画像と前記物体が重畳される、画面。
【考案の詳細な説明】
【技術分野】
【０００１】
[0001]本考案は、概括的には、少なくとも１つの第１の投影画像を少なくとも１つの第２の実画像の上に重畳するための手段に関連する。本考案は、更に、それらの重畳手段を備える製造物品（ＡＯＭ:articles of manufacture）に関する。
【背景技術】
【０００２】
[0002]異なった投影機によって投影される複数の低解像度画像を重畳することによって高解像度画像を作成するための手段は技術的に知られており、例えば、オカタニ・Ｔ、ワダ・Ｍ、デグチ・Ｋ「複数投影機を使用した重畳投影の画像品質の研究」、画像処理、電気電子技術者協会報告書、１８（２）、４２４−２９頁、２００９年２月（Okatani, T.; Wada, M.; Deguchi,K., "Study of Image Quality of Superimposed Projection Using Multiple Projectors," Image Processing, IEEE Transactions on, 18(2), pp.424-29, Feb. 2009）を参照されたし。これらの技術では、２つ又はそれ以上の非実画像、例えば１つ又はそれ以上の映像や１つ又はそれ以上の写真など、が画像品質改善を目的に重畳されている。
【０００３】
[0003]とはいえ、なお、実画像の上に又は現実の少なくとも部分的に透過性の画面の上に、パターン化時間分解投影非実画像を重畳することが長きに亘り切実に要望されている。
【先行技術文献】
【特許文献】
【０００４】
【特許文献１】米国特許第５７６４３１６号
【非特許文献】
【０００５】
【非特許文献１】オカタニ・Ｔ、ワダ・Ｍ、デグチ・Ｋ「複数台の投影機を使用する重畳投影の画像品質の研究」、画像処理、電気電子学会報告書、１８（２）、４２４−２９頁、２００９年２月（Okatani, T.; Wada, M.; Deguchi,K., "Study of Image Quality of Superimposed Projection Using Multiple Projectors," Image Processing, IEEE Transactions on, 18(2), pp.424-29, Feb. 2009）
【考案の概要】
【０００６】
[0004]而して、本考案の目的は、熱制御型デバイス（ＨＣＤ：heat controlled device）でのエネルギー使用及びその損失を低減するためのシステムにおいて、透過性調節デバイス（ＴＡＤ:transparency adjustment device）であって、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備える透過性調節デバイス（ＴＡＤ）と、熱制御デバイスであって、（ｉ）壁に囲まれた閉鎖された空洞と、（ｉｉ）当該空洞の中の温度を制御するように適合されている温度計と、を備える熱制御デバイスと、を備えており、前記ＴＡＤが、前記空洞壁の少なくとも一部分に埋め込まれており、更に、前記ＴＡＤが、前記空洞を開くことなく当該空洞の内容物を見えるようにすることによって前記温度計エネルギー消費を低減している、システムを開示することである。
【０００７】
[0005]本考案の別の目的は、上記の何れかに定義されているシステムにおいて、前記透過性物理的要素が液晶（ＬＣ）フィルムを備えている、システムを開示することである。
【０００８】
[0006]本考案の別の目的は、上記の何れかに定義されているシステムにおいて、前記透過性状態のセットが更に完全に透けている状態を含んでいる、システムを開示することである。
【０００９】
[0007]本考案の別の目的は、上記の何れかに定義されているシステムにおいて、前記負荷が複合キャパシタ／抵抗器負荷を備えている、システムを開示することである。
【００１０】
[0008]本考案の別の目的は、上記の何れかに定義されているシステムにおいて、前記パワーディマー装置が、前記負荷にパワー供給するパワースイッチと、パワースイッチを制御して前記ＬＣフィルムの選択可能部分をオンにしたりオフにしたりする制御回路と、を備えている、システムを開示することである。
【００１１】
[0009]本考案の別の目的は、上記の何れかに定義されているシステムにおいて、負荷を駆動するために、負荷へ印加される出力電圧はＡＣ電圧を備えており、よってＤＣ電圧は、たとえあっつたとしても、せいぜいＡＣ電圧の量の０．５％である、システムを開示することである。
【００１２】
[0010]本考案の別の目的は、上記の何れかに定義されているシステムにおいて、パワースイッチが前記負荷と直列に接続されている、システムを開示することである。
【００１３】
[0011]本考案の別の目的は、上記の何れかに定義されているシステムにおいて、パワースイッチが、ＬＣフィルムと直列に接続されている一対の反直列ＭＯＳＦＥＴスイッチを備えている、システムを開示することである。
【００１４】
[0012]本考案の別の目的は、上記の何れかに定義されているシステムにおいて、パワースイッチが、ダイオードブリッジと、前記ダイオードブリッジを介して負荷と直列に接続されているＭＯＳＦＥＴスイッチと、を備えている、システムを開示することである。
【００１５】
[0013]本考案の別の目的は、上記の何れかに定義されているシステムにおいて、負荷へ印加されるＡＣ電圧が擬似台形形態をしている、システムを開示することである。
【００１６】
[0014]本考案の別の目的は、上記の何れかに定義されているシステムにおいて、負荷へ印加されるＡＣ電圧が円錐台正弦波形態を有している、システムを開示することである。
【００１７】
[0015]本考案の別の目的は、上記の何れかに定義されているシステムにおいて、前記液晶フィルムがガラス物体の中へラミネート加工されており、それによりガラス物体の透過性が制御されるようになっている、システムを開示することである。
【００１８】
[0016]本考案の別の目的は、上記の何れかに定義されているシステムにおいて、前記ガラス物体が、窓ペイン、窓、ガラス扉ペイン、及びガラス扉、のうちの１つを形成している、システムを開示することである。
【００１９】
[0017]本考案の別の目的は、上記の何れかに定義されているシステムにおいて、負荷へ印加されるＡＣ電圧が、制御回路によって確定された電圧レベルに切頭されている円錐台正弦波形態を有していて、パワースイッチを介して印加されている、システムを開示することである。
【００２０】
[0018]本考案の別の目的は、上記の何れかに定義されているシステムにおいて、液晶フィルムについて最大定格電圧レベルが定義されており、パワーディマー装置は液晶フィルムの最大定格電圧レベルを超えない既定の最大電圧レベルを有している、システムを開示することである。
【００２１】
[0019]本考案の別の目的は、上記の何れかに定義されているシステムにおいて、パワースイッチがゲートを備える入力点を有しており、制御回路はパワースイッチの入力点を制御するドライバ回路を介してパワースイッチへ接続されている、システムを開示することである。
【００２２】
[0020]本考案の別の目的は、上記の何れかに定義されているシステムにおいて、制御回路が、入来ＡＣ電圧レベルとユーザー選択基準電圧を受信し比較するように作動し且つ入来ＡＣ電圧レベルがユーザー選択基準電圧に達しているときには負荷へ印加される正弦波ＡＣ電圧の切頭をトリガする出力を生成するように作動する比較器を含んでいる、システムを開示することである。
【００２３】
[0021]本考案の別の目的は、上記の何れかに定義されているシステムにおいて、制御回路が絶縁回路を介してドライバ回路へ接続されている、システムを開示することである。
【００２４】
[0022]本考案の別の目的は、上記の何れかに定義されているシステムにおいて、システムが、複合負荷に並列に配置されていて複合負荷へ印加されるＡＣ電圧を増加させるように作動するキャパシタを備えている、システムを開示することである。
【００２５】
[0023]本考案の別の目的は、上記の何れかに定義されているシステムにおいて、システムが、ＺＶＣ（ゼロ電圧クロッシング）予測回路構成を備えており、ＺＶＣ（ゼロ電圧クロッシング）予測回路構成によってゼロか又はせいぜい既定の小レベル未満の電圧の存在がパワースイッチを跨いで呈せられると予測されない限りパワースイッチがオンにされない、システムを開示することである。
【００２６】
[0024]本考案の別の目的は、上記の何れかに定義されているシステムにおいて、ＺＶＣ（ゼロ電圧クロッシング）予測回路構成は「浮動」期間中のＬＣ電圧が変化しないものと仮定している、システムを開示することである。
【００２７】
[0025]本考案の別の目的は、上記の何れかに定義されているシステムにおいて、システムがパワースイッチを跨いで接続されているＺＶＣ（ゼロ電圧クロッシング）検出回路構成を備えており、ＺＶＣ検出回路構成によってパワースイッチを跨いで電圧があったとしても非常に小さい電圧しかないことが検出されない限りパワースイッチはオンにされない、システムを開示することである。
【００２８】
[0026]本考案の別の目的は、上記の何れかに定義されているシステムにおいて、ＺＶＣ検出回路構成が、パワースイッチの端子Ｐ−ＶＤＤ１及び端子ＬＣ−ＶＤＤ１を跨ぐ正弦入力電圧の正負半周期をそれぞれ測定するように作動する、システムを開示することである。
【００２９】
[0027]本考案の別の目的は、上記の何れかに定義されているシステムにおいて、前記容量性負荷が、複合キャパシタ／抵抗器負荷を備えており、システムは更に複合容量性／抵抗性負荷に並列にキャパシタを備えている、システムを開示することである。
【００３０】
[0028]本考案の別の目的は、上記の何れかに定義されているシステムにおいて、パワーディマー装置がユーザーによって手動で制御可能である、システムを開示することである。
【００３１】
[0029]本考案の別の目的は、上記の何れかに定義されているシステムにおいて、パワーディマー装置がＰＣ又はスマートホームシステムの様なコンピューター化されたシステムによって制御可能である、システムを開示することである。
【００３２】
[0030]本考案の別の目的は、上記の何れかに定義されているシステムにおいて、前記空洞が、冷蔵庫、オーブン、ボイラー、電子レンジ、エンジン、から成る群から選択されている、システムを開示することである。
【００３３】
[0031]本考案の別の目的は、上記の何れかに定義されているシステムにおいて、前記空洞が追加的に扉を備えている、システムを開示することである。
【００３４】
[0032]本考案の別の目的は、上記の何れかに定義されているシステムにおいて、前記扉が追加的に封止ゴムを備えている、システムを開示することである。
【００３５】
[0033]本考案の別の目的は、上記のいずれかに定義されているシステムにおいて前記ＴＡＤが前記空洞壁の異なった場所に埋め込まれている、システムを開示することである。
【００３６】
[0034]本考案の別の目的は、上記の何れかに定義されているシステムにおいて、前記ＴＡＤが前記空洞壁に沿って可動である、システムを開示することである。
【００３７】
[0035]本考案の別の目的は、上記の何れかに定義されている、熱制御型デバイス（ＨＣＤ：heat controlled device）でのエネルギー使用及びその損失を低減するためのシステムにおいて、透過性調節デバイス（ＴＡＤ:transparency adjustment device）であって、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備える透過性調節デバイス（ＴＡＤ）と、熱制御デバイスであって、（ｉ）封止手段を有するシールを備える壁に囲まれた空洞と、（ｉｉ）当該空洞の中の温度を制御するように適合されている温度計と、を備える熱制御デバイスと、を備えており、前記ＴＡＤが、前記空洞壁の少なくとも一部分に埋め込まれており、更に、前記ＴＡＤが、前記空洞を開くことなく当該空洞の内容物を見えるようにすることによって前記封止手段の腐食を低減している、システムを開示することである。
【００３８】
[0036]本考案の別の目的は、閉鎖された空洞を遮光するためのシステムにおいて、透過性調節デバイス（ＴＡＤ）を少なくとも部分的に備える少なくとも１つの表面であって、当該ＴＡＤは、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備えている、透過性調節デバイス（ＴＡＤ）を少なくとも部分的に備える少なくとも１つの表面と、空洞であって、（ｉ）当該空洞の内部と（ｉｉ）当該空洞の外部の間の少なくとも１つの表面バファリングを備える空洞と、を備えており、前記パワーディマーが、前記透過性物理的要素の透過性状態の変化によって前記空洞の遮光を制御している、システムを開示することである。
【００３９】
[0037]本考案の別の目的は、上記の何れかに定義されているシステムにおいて、前記空洞が、自動車、トラック、航空機、エレベータ、列車、バス、及び船艇、から成る群から選択されている、システムを開示することである。
【００４０】
[0038]本考案の別の目的は、上記の何れかに定義されているシステムにおいて、前記ＴＡＤが、前記自動車の窓、サンルーフ、及びそれらの組合せ、から成る群から選択された表面に埋め込まれている、システムを開示することである。
【００４１】
[0039]本考案の別の目的は、共用部屋でのプライバシーを提供するためのシステムにおいて、Ｎを１より大きい整数として複数のＮ個の空間と、複数のＮ−１個の透過性調節デバイス（ＴＡＤ）であって、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備える透過性調節デバイス（ＴＡＤ）と、を備えており、前記Ｎ−１個のＴＡＤのそれぞれが幾つかの前記個人空間同士を分離している、システムを開示することである。
【００４２】
[0040]本考案の別の目的は、照明システムの隠蔽のためのシステムにおいて、少なくとも１つの表面であって、Ｎ個のパラメータによって特徴付けられていて、当該Ｎ個のパラメータのうちの少なくとも１つは透過性パラメータである、少なくとも１つの表面と、前記少なくとも１つの第１の表面の中へ陥凹式に嵌め込まれている照明システムと、少なくとも１つの透過性調節デバイス（ＴＡＤ）であって、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備え、当該ＴＡＤは前記照明システムを覆うように構成され且つ前記表面と連続するように構成されている、その様な透過性調節デバイス（ＴＡＤ）と、を備えており、前記ＴＡＤが前記照明システムの作動と同期して透過状態になるように構成されている、システムを開示することである。
【００４３】
[0041]本考案の別の目的は、上記の何れかに定義されているシステムにおいて、前記ＴＡＤが追加的に構成されている、システムを開示することである。
【００４４】
[0042]本考案の別の目的は、画像と動的に相互作用する画面において、構造化された層に構築されている複数のＮ個の透過性調節デバイス（ＴＡＤ）であって、当該ＴＡＤは、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備え、当該ＴＡＤのそれぞれは、色によって特徴付けられている、その様な複数のＮ個の透過性調節デバイス（ＴＡＤ）を備えており、前記層のそれぞれが独立に異なった透過性状態へ構成されるように適合されており、それにより、画面は当該画面に投影される画像の所定部分を転写するように適合されている、画面を開示することである。
【００４５】
[0043]本考案の別の目的は、投影画像と実物体を重畳するための画面において、構造化された層に構築されている透過性調節デバイス（ＴＡＤ）であって、当該ＴＡＤは、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備え、当該ＴＡＤは投影機と物体との間に配設されている、その様なＴＡＤ、を備えており、前記ＴＡＤが、前記投影機によって前記ＴＡＤに投影される画像を少なくとも部分的に転写するように適合されており、それにより、前記画像と前記物体が重畳される、画面を開示することである。
【００４６】
[0044]本考案の別の目的は、上記の何れかに定義されている透過性物理的要素において、少なくとも１つの第１の投影画像を少なくとも１つの第２の実画像の上に重畳するための、電気的振る舞いが容量性負荷のそれである透過性物理的要素を開示することである。
【００４７】
[0045]本考案の別の目的は、上記の何れかに定義されているパワーディマー装置において、少なくとも１つの第１の投影画像を少なくとも１つの第２の実画像の上に重畳するための、ＡＣ電流を透過性物理的要素へ提供して不透過と完全透過の間の透過性状態のセットを生成させるように作動するパワーディマー装置を開示することである。
【００４８】
[0046]本考案の別の目的は、少なくとも１つの第１の投影画像を少なくとも１つの第２の実画像の上に重畳するための、構造化された層に構築されている透過性調節デバイス（ＴＡＤ）において、電気的振る舞いが容量性負荷のそれである透過性物理的要素と、ＡＣ電流を当該透過性物理的要素へ提供して不透過と完全透過の間の透過性状態のセットを生成させるように作動するパワーディマー装置と、を備えていて、投影機と物体の間に配設されている、透過性調節デバイス（ＴＡＤ）を開示することである。
【００４９】
[0047]本考案は、パターン化時間分解投影非実画像を実画像又は現実の少なくとも部分的に透過性の画面の上に重畳するための様々な適用即ちＡＯＭを開示している。
【００５０】
[0048]「液晶」という用語は、以下では、高分子分散型液晶フィルム又はガラスを指し、ＰＤＬＣ、ＰＤＳＬＣ、ＰＤＣＬＣ、及びＰＤＮＬＣの略称でそれぞれ呼ばれている高分子分散型（中でも低モル質量）液晶フィルム又はガラスを含む。上述の定義の範囲には粒子懸濁型及びエレクトロクロミック型のデバイスが含まれる。
【図面の簡単な説明】
【００５１】
【図１】図１ａは本考案の実施形態による透過性物理的要素でのエネルギー使用を低減するためのシステムの概略図であって、透過性物理的要素が全面的に非透過性である状態を示している。図１ｂは本考案の実施形態による透過性物理的要素でのエネルギー使用を低減するためのシステムの概略図であって、透過性物理的要素の透過性部分の１つの配置を示している。図１ｃは本考案の実施形態による透過性物理的要素でのエネルギー使用を低減するためのシステムの概略図であって、透過性物理的要素の透過性部分の別の配置を示している。図１ｄは考案の実施形態による透過性物理的要素でのエネルギー使用を低減するためのシステムの概略図であって、透過性物理的要素の透過性部分の別の配置を示している。
【図２】図２ａは本考案の実施形態による透過性物理的要素で覆われている陳列箱の概略図を示している。図２ｂは本考案の実施形態による透過性物理的要素で覆われている陳列箱の概略図を示している。
【図３】本考案の実施形態による透過性物理的要素によって形成されている間仕切施設の概略図である。
【考案を実施するための形態】
【００５２】
実施例１
[0049]少なくとも１つの第１の投影画像を少なくとも１つの第２の実画像の上に重畳することによるエネルギーの節減化。
【００５３】
[0050]冷温損失  家庭エネルギー誌（Home Energy Magazine）によれば、扉開放は家庭用冷蔵庫のエネルギー使用の７％を占めており、また一方フロリダ大学の食品農業科学研究所（Institute of Food and Agricultural Sciences）は、悪い開閉習慣が一年に５０乃至１２０ｋＷｈを浪費していることを指し示している、http://www.thedailvgreen.com/going-green/tips/refrigerator-door-wastes-energy#ixzz2QplI8fyzを参照されたし。
【００５４】
[0051]高温損失  以下[表１]のグラフは、熱損失が、扉の寸法及び内部と外部の温度に依存していることを描いている。グラフは、標準的な寸法の扉（間口高さ１．９８ｍ×幅０．７９ｍ）について或る範囲の外部温度に関し２通りの内部温度における煙突効果（熱的浮力）単独に基づく計算された熱損失を示している。
【００５５】
【表１】
0003197317.tif 000003
【００５６】
[0052]外部が比較的温暖な１０℃では、扉を通しての熱損失は６ｋＷである。外部が０℃では、それは膨大にも１３ｋＷになる。この巨大な熱損失は、パワーが失陥し唯一の換気が扉を開け放すことによる場合には有用である。
【００５７】
[0053]以下に説明されている技術を利用し、それにより、事前に定義されている画面又は扉や蓋又は壁の様な画面様物体に、スケールされた透過性（０％から１００％の透過性）、即ち、部分的（パターン化又は非パターン化）透過か又は完全透過の何れかの透過性を提供することで、重畳画像が提供される。重畳画像は、実画像（例えば、扉、蓋、又は壁画像及びそれのパターンの画像）と投影画像（例えば、扉、蓋、又は壁の他方の側であったなら見える視界）を掛け合わせている。画面又は画面様物体は、而して、部分的に透過になるように設定することができ、それにより、画面のパターン、色、肌理、など、が見える上に、その部分的な透過性が見る者に画面の他方の側の投影される光景を見えさせる。この投影画像は、「受動」即ちそのままの画像であってもよいし、又は「能動」即ち随意的に操作された（光パラメータを追加又は変化させる、１つ又はそれ以上の映像コンテンツを投影する、など、による）画像であってもよいし、その両者、即ち、部分的受動画像と部分的能動画像であってもよい。その上、重畳画像は、画面一杯に投影されても、画面の少なくとも１つの部分又は２つ乃至それ以上の部分に投影されてもよいし、パズル様の方式で、パターン化又は肌理付きの方式で、２Ｄ方式又は３Ｄ方式で、連続途切れ無し方式又は１コマずつのセットで、幾つかのパルスの列に沿って、時間分解方式又はパラメータ分解方式で、投影されてもよく、パラメータは、温度、相対湿度、場所、ユーザー所在位置、及び動き、など、から選択することができる。画像の重畳は、ユーザージェスチャー、音又は音楽のパターン、コンピュータプログラムされているコマンド、など、の様なフィードバック又は反応の結果であってもよい。
【００５８】
[0054]本考案は、而して、例えば、家庭で使用される冷蔵庫の扉又はポイント・オブ・ケア（point-of-care）又は何か他の商業エリア内に設置されている食品小出し機械の様な保冷機又は保温機が、ここに定義されている技術を組み込むことで、ユーザーが扉を（完全か又は部分的なやり方で）開けることなく庫内を覗けるようにし、而して機関の再冷却に係るエネルギーを節約することはもとより、更には扉を封止しているゴム（最も脆弱なリンクであることが知られている）の摩耗を低減することができる（ひいてはゴムの摩耗につれた冷却加増を回避させる）。
【００５９】
実施例２
[0055]少なくとも１つの第１の投影画像を少なくとも１つの第２の実画像の上に重畳することによる安全性及び快適性の向上。
【００６０】
[0056]自動車事故の一部は、まぶしい太陽の反射及び強い光の放射によって引き起こされている。その上、それらの目がくらんで起こる種類の自動車事故の幾つかは、運転者が直接目をくらましたことによって引き起こされたわけではなく、後部座席に座っている幼児の様な搭乗者の一人がまぶしがり、運転者がまぶしさを取り除くように車を操作するよう求められたときに間接的な方式で起こっている。
【００６１】
[0057]更に指摘しておくべきこととして、欧州特許第０４９８１４３号は、太陽及びヘッドライトに起因するまぶしさが（特に、反対方向から来る車列に出くわしたとき、又は雨天時に視程が下がり路面からの反射が増加しているとき）運転者にとっては非常に気に障るものであり、また事故を引き起こす原因になりかねない非常に深刻な道路交通上の危険であることを開示しており、即ち、まぶしさは、特にヘッドライトをメインビームで使用することを余儀なくされ運転者が対向交通に出くわしても必ずしも常にビームを下に向けるとは限らない照明不良の道路では珍しいことではない。而して、まぶしさは、運転時の快適性を低下させ、経験の浅い運転者により高速でより安全性の下がったやり方で運転させてしまう誘因となる。直接的な運転者の目のくらみ又は間接的な目のくらみのどちらをも回避することが、安全性と快適性の両方を高めることになる。
【００６２】
[0058]本考案は、少なくとも１つの第１の投影画像を少なくとも１つの第２の実画像の上に重畳すれば快適性が可能になるか又は快適性の帯域が増大すらする新しい手段を開示している。
【００６３】
[0059]快適帯域は、その内であれば、人が、不安中立条件で、限定された行動のセットを使用して、通常は危機感無しに、安定したレベルの遂行能力を実現させられる、という行動上の状態である（下に指示されている様に、ホワイト、２００９（White,2009）による。本文全てをここに参考文献として援用するものであり、ウィキペディアを参照されたし）。人の個性は、彼又は彼女の快適帯域によって記述することができる。大きな成功を収める人は、彼らが望むことを成し遂げるべく彼らの快適帯域の外に踏み出すことを常とする。快適帯域は、人に精神的境界を築かせ操作させる一種の精神的条件付けである。その様な境界は、根拠のない安心感を生む。人は、彼又は彼女の生活の特定の軸に快適な帯域を確立してしまっていると、惰性の如く、当該帯域の外に踏み出すことなく帯域の内に留まろうとしがちになる。人は、自分の快適帯域の外に踏み出すには、新しい異なった行動を経験し、そして自分の環境内で起こる新しい異なった応答を経験しなくてはならない。快適帯域から踏み出すことは不安レベルを引き上げストレス応答を生み、その結果、集中と集束のレベルが増進される。ホワイト（２００９）は、これを最適遂行能力帯域、即ち、人の遂行能力が増進され得る帯域及び人の技量が最適化され得る帯域、と称している。しかしながら、ホワイト（２００９）は、更に、ロバート・ヤーケス（Robert Yerkes）（１９０７）の著作物を考察すれば、彼がその中で報告している様に「不安は、或る一定の最適喚起レベルに到達するまでは遂行能力を改善してゆく。当該点を越えると、より高い不安レベルに達して、遂行能力は低下する」ことも観察しており、人が最適遂行能力帯域を超えて踏み出した場合、彼らは、より高い不安レベル又は不快レベルが起こることで遂行能力が急速に下降するであろう「危険帯域」に進入することになる、バードウィック・ジュディス、「快適帯域内の危険：アメリカンビジネスを台無しにする好適給付金制度の慣習を打ち破る方法」、ニューヨーク、米国経営管理学会、１９９５（Bardwick, Judith. Danger in the Comfort Zone: How to Break the Entitlement Habit that's Killing American Business. New York: American Management Association, 1995）、ホワイト・アラスデール・Ａ・Ｋ、「快適帯域から遂行能力管理まで」ホワイト＆マックリーン出版、２００９（White, Alasdair A. K. "From Comfort Zone to Performance Management" White & MacLean Publishing 2009)、ヤーケス・Ｒ及びドットソン・Ｊ、「踊るマウス、動物行動の研究」、１９０７、「比較神経学及び心理学の雑誌」第１８号、４５９−４８２頁（Yerkes, R & Dodson, J. - "The Dancing Mouse, A Study in Animal Behavior" 1907 "Journal of Comparative Neurology & Psychology", Number 18, pp 459-482）を参照されたく、それらを参考文献としてここに援用する。
【００６４】
熱的快適性
[0060]熱的快適性は、温度環境に係わる満足を表現する心の状態であり、主観的評価によって評定される（米国標準協会／米国暖房冷凍空調学会標準５５［１］（ANSI/ASHRAE Standard 55[1]）をここに参考文献と援用する）。建物又は他のエンクロージャの居住者にとっての熱的快適性のこの標準を維持することは、ＨＶＡＣ（暖房、換気、及び空気調節）設計技師の重要な目標の１つである。最も認識されているモデルの中でも予測平均温冷感申告（ＰＭＶ：Predicted Mean Votes）モデルの見解は、気象制御式の室の中で定常条件の下に熱収支手法から発展した。燃料高騰の時代に、熱的収支手法に基づく自然換気ｄ建物での快適性予測の理論的複雑性と限界とが加わり、研究者らは、熱収支手法を越えて進み、適応モデルで知られる統計的手法を使って居住者の熱的快適性を予測しようと意欲をかき立てられた。適応手法の観点からすれば、自然換気型の建物内の居住者は、周囲の環境と相互に作用し合って屋内温度に然るべく順応する動的主体であり、外部要因及び内部要因に曝されるだけの静止した受動的居住者ではないと考えられる。
【００６５】
[0061]熱的快適性は、熱伝導、対流、放射、及び蒸発による熱損失、に影響される。熱的快適性は、人間の代謝によって発生する熱を消散させ而して周囲との熱的平衡を維持できるようになったときに維持される。暑い又は冷たいと感じる感覚は単に空気温度のみに依存するものではないことがかねてより認識されている。ＡＮＳＩ／ＡＳＨＲＡＥ標準５５に従った熱的快適性の計算は、ＡＳＨＲＡＥ５５用のＣＢＥ熱的快適性ツールを用いれば自在に遂行できる。
【００６６】
[0062]放射温度は、表面から伝達される放射熱の量に関係付けられ、材料の放射率、即ち、熱を吸収又は放射する能力に依存する。平均放射温度は、人間の身体からの放射熱伝達が実際の非均一なエンクロージャ内での放射熱伝達に等しくなる仮想エンクロージャの均一温度と定義されているものであって、人間の身体の熱的快適性計算にとって貴重な鍵である。
【００６７】
局所的な熱的不快性
[0063]予測平均温冷感申告（ＰＭＶ）及び予測不快者率（ＰＰＤ：predicted percentage of dissatisfied）に基づく快適性モデルが、大抵は、身体全体にとっての熱的快適性に対する適合性を記述しているとはいえ、熱的不快は、同様に、好ましからざる暖房、冷房、又は空気の動きという局所的な発生源のせいで身体の特定部分だけに起こることもある。ＡＳＨＲＡＥ５５−２０１０標準によれば、主として４つの考慮すべき熱的不快の原因がある。標準の或る章は、これらの要因について、座業に近い身体活動に従事する着衣量の軽い人に適用する、という要件を規定している。これは、代謝率がより高い人及び／又は着衣による絶縁性がより大きい人は熱的感応性がより低く、そのため熱的不快のリスクが小さくなることが理由である。
【００６８】
放射温度の非対称性
[0064]身体の周りの熱放射場は、高温表面及び冷温表面と直射日光のせいで非均一となろう。この非対称性は、局所的不快を引き起こし、空間の熱的受容可能性を低下させることもある。一般的に、人々は、高温及び冷温の縦の表面よって生じる非対称放射よりも温かい天井によって生じる非対称放射により感応性がある。ＡＳＨＲＡＥ標準は、予測不快者率（ＰＰＤ）を放射温度非対称性の関数として与えており、受容可能な限界を規定している。
【００６９】
ドラフト
[0065]ドラフトは、空気の動きによって引き起こされる好ましからざる身体の局所冷却であり、全身の熱的感覚が冷（中立より下）であるときが最も優勢である。ドラフトの感覚は、空気の速さ、空気の温度、活動、及び着衣量、に依存する。ドラフト対する感応性は、皮膚が衣類に覆われていないところ、特に、頭、首、肩、足首、足、及び脚、が最も大きい。
【００７０】
縦方向の空気温度差
[0066]頭レベルの空気温度が足首レベルの空気温度より高いという事態をもたらす熱的成層が熱的不快を引き起こすこともある。ＡＳＨＲＡＥ標準５５は、予測不快者率を、頭レベルと足首レベルの間の空気温度差の関数として与えている。逆方向の熱的成層は稀であり、居住者にはより好ましく知覚される。
【００７１】
床表面温度
[0067]居住者は、暖かすぎる又は冷たすぎる床表面との接触が原因で不快に感じることもある。靴を履いている人々にとって、足の熱的快適性について最も重要な要因は、床被覆の材料よりむしろ床の温度である。ＡＳＨＲＡＥ標準５５は、軽量靴を履いている人々にとっての床の表面温度の許容可能範囲を規定している。
【００７２】
熱的応力
[0068]熱的快適性の概念は熱的応力に密に関係付けられる。これは、訓練演習を受けている軍人又は競技大会中の運動選手にとっての、太陽放射、空気の動き、及び湿度の影響を予測しようとするものである。数値は、湿球黒球温度又は不快指数として表されている。概して、人間は熱的応力を受けていると遂行能力を十分に発揮できない。熱的応力を受けている人々の遂行能力は、通常の熱的条件にある人々の遂行能力より約１１％低い。更に熱的応力に対比した人間の遂行能力は、完遂しようとしている職務の種類によって大きく異なる。温熱的な熱応力の生理学的効果の幾つかとして、皮膚への血流増加、発汗、及び呼吸増加が挙げられる。
【００７３】
熱的快適性モデル
[0069]熱的快適性を論じるとき、異なった２つの主要モデル、即ち、静的モデル（ＰＭＶ／ＰＰＤ）と適応モデルを使用することができる。
【００７４】
静的快適性モデル
[0070]静的モデルは生理学的手法に基づくものであり、それによると、快適帯域は全ての居住者にとって同じであるとされ、場所及び温度環境への適応は度外視されている。それは、基本的に、季節が実際に変わっても屋内温度は変わらないほうがよいと述べている。むしろ、１年を通じ１つの設定された温度になっているべきである。これは、温度が常に一定であるから人間は異なった温度に適応する必要がないというより受動的な立場を取っている。
【００７５】
[0071]このモデルは、Ｐ．Ｏ．ファンガー（P. O. Fanger）による予測平均温冷感申告の式を使用するＰＭＶ／ＰＰＤモデルに基づいている。ＰＭＶは、平均快適温冷感申告であり、被験者の大集団についての特定の環境条件に曝されたときの理論指数によって予測される冷（−３）から温（＋３）までの７点熱的感覚尺度を使っている。ゼロは、理想値であり、熱的中立性を表している。このモデルは、元々、気象室内での異なった条件に曝された人々への何回もの調査からデータを収集することによって開発された。次いでこれらのデータを使用して、関与する環境的要因及び生理学的要因全ての間の関係の数学モデルが導出された。快適帯域は、熱的快適性についての６つのキー要因の、ＰＭＶが推奨限界内（−０．５＜ＰＭＶ＜＋０．５）に納まる組合せによって定義されている。ＰＭＶモデルは、空気温度、問題となっている平均放射温度、並びに適用できる代謝率、着衣による絶縁、空気の速さ、及び湿度、を用いて計算される。モデルによって生成された結果のＰＭＶ値が推奨範囲内にあれば、当該条件は快適帯域内である。
【００７６】
[0072]予測不快者率（ＰＰＤ）は、熱的感覚尺度で−２、−３、＋２、又は＋３と申告する者は不快であると仮定して熱的に不快な人々の定量的予測を確立する指標として定義されている様に、ＰＭＶに関係付けられている。モデルは、更に、ＰＰＤが中立ＰＭＶを中心に対称であるという単純化に基づいている。
【００７７】
[0073]ＡＳＨＲＡＥ標準５５−２０１０は、この概念を適用し快適帯域を引き出すために従わなくてはならない条件の受容可能範囲、即ち、居住者の代謝率１．０乃至１．３、着衣量０．５乃至１．０クロ、空気の速さ０．２ｍ／ｓ未満、を設定している。
【００７８】
空気の速さを上昇させるという概念
[0074]標準によれば、特定の条件下での受容可能性について最大実用温度を増加させるには、更に高い空気の速さを可能にするよう異なったモデルが使用されるべきである。空気の速さを上昇させるという概念は、空気の動きと温度の異なった組合せは、皮膚からの同等レベルの熱損失を生じさせるという事実に基づいている。モデルは、座業に近い活動に従事する着衣量の軽い人に適用される。実際のところ、空気の速さを高めることによって手に入る恩恵は、主に、着衣量と代謝活動に依存する。空気速さの上昇は、着衣量のレベルが低い場合の熱損失増加ではより効果的であり、居住者がより激しい活動に従事しているなら、この場合にはモデルは消極的となろう。０．７０クロより高い着衣量の絶縁は、増加した空気の動きの効果の見積もりを誤らせる原因になってしまう。
【００７９】
適応快適性モデル
[0075]適応モデルは、屋内の快適性と屋外の気象の間には強い関係があるとする概念に基づくものであって、人間が一年のうちの異なった時期に異なった温度に適応し且つそれら温度に寛容になれることを勘案している。適応仮説は、文脈的要因と過去の熱的履歴が建物居住者の温度に関する期待と選好を修正すると予測している。これらの地域で、人々の大多数が一年のうちの異なった時期に彼らが屋内での設定点温度として何を選好するかを見るために実地調査が遂行されている。
【００８０】
[0076]ＡＳＨＲＡＥ５５−２０１０標準は、近年、適応モデルの入力変数として優勢平均屋外温度を導入した。それは、問題の日より前の７日以上３０日以下の連続日数に亘る平均一日屋外温度（ＤＢＴ：daily outdoor temperature）の算術平均に基づいている。それは、更に、温度を異なる係数で加重し最も直近の温度に高い重要性を割り当てることによって計算することもできる。この加重が使用される場合、それ以降の日々について上限を尊重する必要はない。適応モデルを適用するためには、計算された優勢平均温度が、１０℃（５０°Ｆ）より大きく、且つ３３．５℃（９２．３°Ｆ）未満でなくてはならず、標準によれば、幾つかの他の判定基準が満たされなくてはならない。
【００８１】
[0077]このモデルは、特に、屋外の気象が実際に屋内条件ひいては快適帯域に影響を及ぼす、居住者制御式自然調整空間に適用される。実際、ディア（Dear）及びブラガー（Brager）による研究は、自然換気式建物内の居住者はより広い範囲の温度に寛容であることを示した。これは、適応プロセスには異なった型式があることから、行動的調節及び生理学的調節の両方に起因するものである。ＡＳＨＲＡＥ標準５５−２０１０は、直近の熱的経験における差、着衣量の変化、制御選択肢の利用可能性、及び居住者の期待の移り変わりが、人々の熱的応答を変化させ得ることを示している。基本的には熱的適応には３つの分類があり、即ち、行動的調節、生理学的調節、及び心理学的調節である。後者は、過去の経験と期待のせいで改変される熱知覚及び反応を指しており、自然換気式建物内での実地観察とＰＭＶ予測（静的モデルに基づく）の間の差を解くキー要因である。これらの建物内では、屋外温度との関係は予測より２倍強大である。
【００８２】
[0078]熱的快適性に関する更に進化した研究は、人間の身体の熱収支を考慮し、局所的な身体部分の感覚と快適性を計算している。
【００８３】
異なった地域の熱的快適性
[0079]世界の異なった地域では、熱的快適性の必要性は気象に基づき様々であろう。中国では、高温多湿の夏と寒い冬があり、効率のよい熱的快適性に対する必要性を生じさせている。中国では、この数十年来、急激な経済成長及び人口増加のせいで、熱的快適性に関連するエネルギー節約が大きな課題になっている。研究者らは、中国内の建物を冷暖房する方策において、より低い費用を目指した環境への害のより少ない方策を現在模索中である。
【００８４】
[0080]ブラジルの熱帯地域では、都市化が都市ヒートアイランド（ＵＨＩ：urban heat islands）と呼ばれる現象を引き起こしている。これらは、人々の大量流入のせいで熱的快適性の限界を超えて上昇してしまい雨季の間しか快適範囲内に落ち着かない市街区域である。都市ヒートアイランドは、条件が合えば何れの都市又は建て混んだ区域にも起こり得る。都市ヒートアイランドは、太陽光放射を遮ったり蒸発散を行ったりする木々や植物が少ない、屋根の比率の大きい構造物や熱を吸収する反射率の低い歩道が多い、地表レベルの二酸化炭素汚染が高量で地表が放出する熱を滞らせる、密集した建物の空調システムによって発生する熱が大量である、エンジンからの熱及び排気を発生させる自動車の交通量が多い、といった市街区域によって引き起こされる。
【００８５】
[0081]サウジアラビアの高温多湿地域では、熱的快適性の問題は、イスラム教徒が礼拝に行くモスクで重要になってきている。それらは非常に広い開放された建物であって、間欠的にしか使用されず（金曜日の午後の礼拝の間は非常に混んでいる）、そのため建物を適切に換気することが難しい。寸法が大きいと大量の換気が必要になるが、建物は短時間しか使用されないので大量のエネルギーを要する。モスクの中には、それらのＨＶＡＣシステムがあまりにも長く運転されるせいで冷え過ぎるという問題を有しているものもあれば、暑過ぎるままというものもある。更に、モスクの寸法が大きいために煙突効果も作用し、モスク内の人々の上方に大きな暖気層が生まれる。新しい設計は、換気システムを建物内に低く配置して地表のより良い温度制御の提供を図っている。更に、効率を改善するべく新しい監視方式が進められようとしている。
【００８６】
家畜の熱的快適性
[0082]人間の熱的快適性は熱的快適性研究の主眼であるが、より良い生活及び生産のためには同様に家畜の必要性も満たされなくてならない。イタリアの畜産省（Department of Animal Production）は、雌羊に関する研究で、高温環境に慢性的に曝された雌羊の第一胃機能及び食餌消化率を試験した研究を生み出した。これら２つの身体機能は高温によって低下していたことから、熱的快適性レベルが家畜の生産性に重要であることが洞察される。
【００８７】
患者及び病院職員のための熱的快適性
[0083]参照されている研究が１つの部屋の中の異なった居住者群についての熱的条件を論じようとしたときは決まって、それら研究は主観的な研究に基づく熱的快適性の充足度の比較を単純に提示することに終始した。１つの部屋の中に否応なく留まらざるを得なくなってしまった様々な種類の居住者の異なった熱的快適性要件を調和させようとした研究は無い。従って、病院内の異なった居住者群別に必要とされる異なった熱的条件を探って、この概念で彼らの異なった要件を調和させることが必要であると見受けられる。要求されている熱的快適性条件の違いを調和させるのに、１つの部屋の中で異なった局所放射温度範囲を適した機械的システムを介して使用することの実現可能性を試験することが推奨される。
【００８８】
[0084]病院内の患者にとっての熱的快適性に関して様々な研究が行われているが、病院内の患者についての治癒の質及び量に及ぼす熱的快適性条件の効果を研究することも必要である。職員の熱的快適性と彼らの生産性レベルの間の連関を示す独自の研究もあるが、この分野には病院で個々に生み出されてきた研究は無い。従って、この主題について個別の対象範囲及び方法についての研究が推奨される。更に、ＨＩＶ患者、火傷患者、などの様な、免疫系防御レベルが低い患者についての冷暖房送出システムの観点での研究が推奨される。しかしながら、職員の熱的快適性と彼らの生産性レベルの間の連関を示す研究はあっても、この分野には病院で生み出されてきた研究は無い。職員の熱的快適性及びそれと彼らの生産性との関係を含め、患者の低体温症を予防し且つ同時に病院職員にとっての熱的快適性を改善するべく異なった暖房システムを使用することに焦点を当てることがなお必要とされる重要な領域がある。
【００８９】
[0085]最後に、病院での人々とシステムと建築設計の間の相互作用は、これらの建物に居住している人々にとって多くの対立する要因を調和させるには建物及びシステムをどのように設計するべきかについての知識を向上させるのに必要な更なる作業が求められる分野である。
【００９０】
[0086]現在ウィキペディアで入手可能な以下の引用を参考文献として援用するものであり、即ち、米国標準協会／米国暖房冷凍空調学会標準５５−２０１０、人間居住者にとっての温度環境条件（ANSI/ASHRAE Standard 55-2010, Thermal Environmental Conditions for Human Occupancy）;ジャミラ・ハリミ、シバクマール・ｋ、チ・ミン・チュウ（２０１２）「多湿熱帯地方の住宅の熱的快適性に関する概念的考察」工学革新及び研究の国際雑誌、ＩＳＳＮ、２２７７−５６６８  １（６）、５３９−５４４（Djamila, Harimi; Sivakumar k, Chi-Ming Chu (2012). "A Conceptual Review on Residential Thermal Comfort in the Humid Tropics". International Journal of Engineering Innovation & Research. ISSN: 2277-5668 1(6): 539-544）;ジャミラ・ハリミ、チ・ミン・チュウ、シバクマール・ｋ「高温多湿気候：住宅建物内の熱的快適性の展望」建物と環境、６２、１３３−１４２（Djamila, Harimi; Chi-Ming Chu, Sivakumar K."Hot and humid climate: prospect for thermal comfort in residential building". Building and Environment 62: 133-142）；「知覚される空気品質、ＳＢＳ徴候、及び遂行能力、に及ぼすオフィスの屋内空気温度及び湿度の影響」屋内空気、屋内環境及びエネルギーのための国際センター、デンマーク工科大学、２００４（"Impact of indoor air temperature and humidity in an office on perceived air quality, SBS symptoms and performance.". Indoor Air. International Centre for Indoor Environment and Energy, Technical University of Denmark. 2004）；マイレン・Ｊ・Ａ、ホルムバーグ・Ｓ（２００８）「パネル、床、及び壁暖房を備えた部屋の中の流れパターン及び熱的快適性」（ＰＤＦ）、エネルギーと建物、４０（４）、５２４−５３６（Myhren, J. A.; Holmberg, S. (2008). "Flow patterns and thermal comfort in a room with panel, floor and wall heating" (PDF). Energy and Buildings, 40(4), 524-536）；トフタム・Ｊ（２００５）「人的要因及び人間工学的方法の手引」米国フロリダ州ボカラトン、６３、ＣＲＣプレス（Toftum, J. (2005). Handbook of Human Factors and Ergonomics Methods. Boca Raton, FL, USA: 63.CRC Press）；スモランダー・Ｊ（２００２）「高齢者に及ぼす低温暴露の効果」、スポーツ医学の国際雑誌、２３（２）、８６（Smolander, J. (2002). "Effect of cold exposure on older humans". International Journal of Sports Medicine 23 (2): 86）；コダカラミ・Ｊ（２００９）熱的快適性の実現、ＶＤＭ出版社（Khodakarami, J. (2009). Achieving thermal comfort. VDM Verlag；熱的快適性の章、ＡＳＨＲＡＥ手引書の基礎原理の巻、ＡＳＨＲＡＥ，Ｉｎｃ．、ジョージア州アトランタ、２００５年（Thermal Comfort chapter, Fundamentals volume of the ASHRAE Handbook, ASHRAE, Inc., Atlanta, GA, 2005）；ソコライ・スティーブン・Ｖ（２０１０）「持続可能な設計の基本」、第２版、１６−２２頁（Szokolay,Steven V. (2010). The Basis of Sustainable Design, Second Edition, pp. 16-22）；ハヴェニス・Ｇ（１９９９）「防護服着用時の熱収支」、職業衛生学年報、４３（５）、２８９（Havenith, G.(1999). "Heat balance when wearing protective clothing". The Annals of Occupational Hygiene 43(5): 289）；マックロー、エッケルス、ハームス（２００９）「小児の寒冷天候着衣量についての温度定格の確定」、応用人間工学、４０（５）、８７０−７（McCullough; Eckels; Harms (2009). "Determining temperature ratings for children's cold weather clothing". Applied Ergonomics 40 (5): 870-7）；ラロッシュ・Ｐ（２０１１）「カーボンニュートラル建築設計」、ＣＲＣプレス（La Roche, P. (2011). Carbon-neutral architectural design, CRC Press）；バララス、バララス（２００７）「病院の手術室内のＨＶＡＣ及び屋内温度条件」、エネルギーと建物、３９（４）、４５４（Balaras; Balaras (2007). "HVAC and indoor thermal conditions in hospital operating rooms". Energy and Buildings 39 (4): 454）；ウォルコフ・Ｓ・Ｋ、ケルガード（２００７）「屋内空気品質に対する相対湿度の二分法」環境インターナショナル、３３（６）、８５０（Wolkoff, S. K.; Kjaergaard (2007)."The dichotomy of relative humidity on indoor air quality". Environment International 33 (6):850）；モンタニーニ・Ｒ（２００７）「相対湿度測定のための波長符号化光学乾湿計」、科学機器の論評、７８（２）（Montanini, R (2007). "Wavelength-encoded optical psychrometer for relative humidity measurement". Review of Scientific Instruments 78 (2)）；トイダ、トイダ（２００６）「温室冷却用涼霧システム作動時の乾球温度を測定するための方法」、生態工学、９３（３）、３４７（Toida; TOIDA (2006). "A method for measuring dry-bulb temperatures during the operation of a fog system for greenhouse cooling". Biosystems Engineering 93 (3): 347）；フクザワ・Ｔ、ハヴェニス・Ｇ（２００９）「局所的及び全所的な身体皮膚の濡れに関連した快適性知覚の差」、応用生理学の欧州雑誌、１０６（１）、１５−２４（Fukazawa, T.; Havenith, G. (2009). "Differences in Comfort Perception in Relation to Local and Whole Body Skin Wettedness". European Journal of Applied Physiology 106 (1): 15-24）；ハシグチ・Ｎ、トチハラ・Ｙ（２００９）「入浴後の生理学的応答及び熱的快適性に及ぼす暖房された室内の低湿度と高空気速度の効果：実験的研究」、看護研究の国際雑誌、４６（２）、１７２−１７９（Hashiguchi, N; Tochihara, Y. (2009). "Effects of Low Humidity and High Air Velocity in a Heated Room on Physiological Responses and Thermal Comfort After Bathing: An Experimental Study". International Journal of Nursing Studies 46 (2): 172-179）；ＩＳＯ／ＦＤＩＳ  ７７３０：２００５、国際標準、温度環境の人間工学−ＰＭＶ及びＰＰＤ指標の計算と局所的熱的快適性判定基準を用いた熱的快適性の分析的判定及び解釈、「ＷＢＧＴ及び見かけ温度指標について」（ISO/FDIS 7730:2005, International Standard, Ergonomics of the thermal environment −Analytical determination and interpretation of thermal comfort using calculation of the PMV and PPD indices and local thermal comfort criteria ; "About the WBGT and Apparent Temperature Indices"）；ハンコック・Ｐ・Ａ、ロス・Ｊ・Ｌ、サルマ（２００７）「熱的ストレッサ下での遂行能力応答のメタ分析」、人的要因、４９（５）、８５１（Hancock, P. A.; Ross, J. L.; Szalma, (2007). "A meta-analysis of performance response under thermal stressors". Human Factors 49 (5): 851）；レオン・Ｌ・Ｒ（２００８）「環境毒物への体温調節応答：熱応力と毒物暴露の相互作用」、毒物学と応用薬理学、２３３（１）、１４６（Leon, L. R. (2008). "Thermoregulatory responses to environmental toxicants: The interaction of thermal stress and toxicant exposure". Toxicology and Applied Pharmacology 233 (1): 146）；ソコライ・スティーブン・Ｖ（２０１０）「建築科学入門」、持続可能な設計の基礎、第２版、１９（Szokolay, Steven V. (2010). "Introduction to Architectural Science". The Basis of Sustainable Design, Second Edition: 19）；フォーダム（２０００）「自然換気」再生可能エネルギー１９（１−２）、１７（Fordham (2000). "Natural ventilation". Renewable Energy 19 (1-2): 17）；オマー、オマー（２００８）「再生可能建物エネルギーシステム及び受動的人間快適性ソ���ューション」、再生可能持続可能エネルギーの考察、１２（６）、１５６２（Omer; OMER (2008). "Renewable building energy systems and passive human comfort solutions". Renewable Sustainable Energy Reviews 12(6): 1562）；ドゥ・ディア・Ｒ（２００４）「熱的快適性の実際」、屋内空気、１４（補遺７）、３２（de Dear, R. (2004). "Thermal comfort in practice". Indoor Air 14 (Suppl 7): 32）；オールセン・Ｂ・Ｗ（２００４）「屋内環境のための国際標準」、屋内空気、１４（補遺７）、１８（Olesen,B. W. (2004). "International standards for the indoor environment". Indoor Air 14 (Suppl 7): 18）；レンズニ・Ｐ、フレダ・Ｄ、デルグアディオ・Ｍ（２００８）「快適性評定のための温度環境の分類」、職業衛生学年報（Lenzuni, P.; Freda, D.; Del Guadio, M. (2008). "Classification of Thermal Environments for Comfort Assessment". The Annals of Occupational Hygiene）；Ｄ・Ｐ・ワイオン、Ｉ・アンダーセン、Ｇ・Ｒ・ランドビスト「雰囲気温度変化時の熱的不快の自発的大きさ推定」、衛生学の雑誌、１９７２、２０３−２２１頁（D. P. Wyon, I. Andersen and G. R. Lundqvist, "Spontaneous Magnitude Estimation of Thermal Discomfort during Changes in the Ambient Temperature", The Journal of Hygiene 1972, pp203-221）；カヤラライネン・Ｓ（２００７）、熱的快適性の性差及び日々の温度環境でのサーモスタットの使用、建物と環境、４２、（１５９４−１６０３）（Karjalalainen, S. (2007).Gender Differences in Thermal Comfort and use of thermostats in everyday thermal environments. Building and Environment, 42(1594-1603)）；ラン・Ｌ、リアン・Ｚ，リュウ・Ｗ、リュウ・Ｙ（２００８）、中国の人々の熱的快適性における性差の調査、応用生理学の欧州雑誌、１０２（４）、４７１（Lan, L, Lian, Z., Liu, W., & Liu, Y.(2008). Investigation of gender difference in thermal comfort for Chinese people. European Journal of Applied Physiology, 102(4), 471）；イエ・Ｘ・Ｊ、ジョウ・Ｚ・Ｐ、リアン・Ｚ・Ｗ、リウ・Ｈ・Ｍ、リ・Ｃ・Ｚ、リウ・Ｙ・Ｍ（２００６）、上海での温度環境及び適応モデルの実地調査、屋内空気、１６（４）、３２０−３２６（Ye, X. J., Zhou, Z. P., Lian, Z. W., Liu, H. M., Li, C. Z., &. Liu, Y. M. (2006). Field study of a thermal environment and adaptive model in shanghai. Indoor Air, 16(4), 320-326）；コダカラミ・Ｊ、ナイト・Ｉ、イランの病院内居住者についての要求温度条件と現在の温度条件、ＨＶＡＣ及びＲリサーチ、第１４巻、第２号、２００８年３月、１７５−１９４頁（Khodakarami J, Knight I. Required and current thermal conditions for occupants in Iranian hospitals, HVAC&.R Research, Vol. 14, Number 2, March 2008, Pages: 175-194）；ドゥ・ディア・Ｒ及びブラガー・Ｇ・Ｓ（１９９８）、熱的快適性と選好の適応モデルの開発、ＡＳＨＲＡＥ報告書、１０４（１ａ）、１４５−１６７（de Dear, R., & Brager, G. S. (1998). Developing an adaptive model of thermal comfort and preference. ASHRAE Transaction, 104(la), 145-167）；ムジャレド・Ｂ、カンティン・Ｒ、グアラシーノ・Ｇ（２００８）自然換気式オフィスビル内の熱的快適性アルゴリズムの比較、エネルギーと建物（Moujalled, B., Cantin, R., & Guarracino, G.(2008). Comparison of thermal comfort algorithms in naturally ventilated office buildings. Energy and Buildings）；ジャン・フイ、アレンズ・エドワード、ハイゼンガ・チャーリー、ハン・テヨン、非均一且つ一過性の環境についての熱的感覚及び快適性モデル：パートＩ：個体身体部分の局所的感覚、２００９（Zhang, Hui, Arens, Edward, Huizenga, Charlie, Han, Taeyoung. Thermal sensation and comfort models for non-uniform and transient environments: Part I: local sensation 
of individual body parts, 2009）；ジャン・フイ、アレンズ・エドワード、ハイゼンガ・チャーリー、ハン・テヨン、非均一且つ一過性の環境についての熱的感覚及び快適性モデル：パートＩＩ：個体身体部分の局所的快適性、２００９（Zhang, Hui, Arens, Edward, Huizenga, Charlie, Han, Taeyoung. Thermal sensation and comfort models for non-uniform and transient environments: Part II: local comfort of individual body parts, 2009）；ジャン・フイ、アレンズ・エドワード、ハイゼンガ・チャーリー、ハン・テヨン、非均一且つ一過性の環境についての熱的感覚及び快適性モデル：パートIII：全身感覚、２００９（Zhang, Hui, Arens, Edward, Huizenga, Charlie, Han, Taeyoung. Thermal sensation and comfort models for non-uniform and transient environments: Part III: whole body sensation, 2009）;ユ・Ｊ・、チャンジィー・Ｙ（２００９）、中国の夏季高温冬季寒冷地帯の住居用外囲いについてのエネルギー及び熱的性能の評価、応用エネルギー８６（１０）１９７０−１９８５（Yu, J., Changzhi, Y. (2009). Evaluation on energy and Thermal Performance for Residential Envelopes in Hot Summer and Cold Winter Zone of China. Applied Energy 86(10) 1970-1985）；ダ・シルバ・Ｖ・Ｄ、デ・アゼベード・Ｐ・Ｖ（２００９）、ブラジル北東の典型的な熱帯都市の都市気象の評価、エンバイロン・モニト・アセス、２００９年１月３０日、ｄｏｉ：１０．１００７／ｓ１０６６１−００８−０７２６−３（da Silva, V.D., de Azevedo, P.V. (2009). Evaluating the Urban Climate of a Typically Tropical City of Northeastern Brazil. Environ Monit Assess 2009 Jan 30. doi: 10.1007/s10661-008-0726-3）；米国環境保護庁、大気・放射線局、米国環境保護庁、管理局、賢明な都市開発ネットワーク（２００３）、賢明な都市開発と都市ヒートアイランド、米国環境保護庁、大気・放射局、管理局、賢明な都市開発ネットワーク（United States. Environmental Protection Agency. Office of Air and Radiation; United States. Environmental Protection Agency. Office of the Administrator; Smart Growth Network. (2003) Smart Growth and Urban Heat Islands. U.S. Environmental Protection Agency, Office of Air and Radiation, Office of the Administrator: Smart Growth Network）；シュメフスキー・ブライアン・Ｒ（２００６）一高温論証:都市ヒートアイランド効果、大学科学教育の雑誌、３５、７、プロケストエデュケーション会報、５２頁（Shmaefsky, Brian R.(2006).One Hot Demonstration: The Urban Heat Island Effect Journal of College Science Teaching; 35, 7；ProQuest Education Journals pg. 52）；アルホマウド・Ｍ、アブドゥ・Ａ、ブダイワイ・Ｉ（２００９）、高温多湿気候でのモスクにおいてモニターされたエネルギー使用及び熱的快適性条件の評定、エネルギーと建物４１（６）、６０７−６１４（Al-Homoud, M., Abdou, A., Budaiwi, I. (2009). Assessment of Monitored Energy Use and Thermal Comfort Conditions in Mosques in Hot-Humid Climates. Energy and Buildings 41(6) 607-614）；ナスロラヒ・Ｎ（２００９）、温度環境と居住者の熱的快適性、ＶＤＭ出版社、２００９、ＩＳＢＮ９７８−３−６３９−１６９７８−２（Nasrollahi, N. (2009). Thermal environments and occupant thermal comfort. VDM Verlag, 2009, ISBN 978-3-639-16978-2）；ベルナブッチ・Ｕ、ラセテラ・Ｎ（２００９）、羊の第一胃機能及び食餌消化率に及ぼす異なった高温環境曝露期間の影響、生物気象学の国際雑誌、２００９年４月１６日（Bernabucci, U., Lacetera, N., (2009). Influence of Different Periods of Exposure to Hot Environment on Rumen Function and Diet Digestibility in Sheep. Int J Biometeorol 2009 Apr 16）；ピータース・Ｌ（２００８）、居住建物内の熱的快適性、建物のエネルギーシュミレーションのための快適性値と尺度、応用エネルギー８６（５）、７７２−７８０（Peeters, L., (2008). Thermal Comfort in Residential Buildings: Comfort Values and Scales for Building Energy Simulation. Applied Energy 86(5) 772-780）；バーウッド・Ｍ・Ｊ、ニュートン・Ｐ・Ｓ、ティプトン・Ｍ・Ｊ（２００９）、高温乾燥条件での軍服着用による断続演習のための換気式ベストと寛容性、航空宇宙環境医学、８０（４）、３５３−３５９（Barwood,M.J., Newton, P.S.,Tipton, M.J. (2009). Ventilated Vest and Tolerance for Intermittent Exercise in Hot, Dry Conditions with Military Clothing. Aviat Space Environ Med 80(4) 353-359）；及びコダカラミ・Ｊ、ナスロラヒ・Ｎ（２０１２）、再生可能持続可能エネルギーの考察（１６）６、２０１２年８月、４０７１−４０７７（Khodakarami, J.,Nasrollahi, N., (2012). Renewable and Sustainable Energy Reviews (16)6, August 2012, 4071-4077）、をここに参考文献として援用する。
【００９１】
[0087]本考案は、而して、ＡＳＨＲＡＥ５５−２０１０標準及びＡＮＳＩ／ＡＳＨＲＡＥ標準５５［１］の中で適用されている快適性の帯域を有効化及び改善し、即ち、静的快適性モデル、空気速度上昇法、適応快適性モデル、によって測定される熱的応力を改善し、家畜の熱的快適性を改善し、患者及び病院職員及び内科患者のための熱的快適性を高め、局所的な熱的不快性を下げ、放射温度非対称性を減らす。
【００９２】
[0088]病人、病院患者、及び、救急科・生殖器科、老人診療所、歯科診療所、など、の患者の場合は、快適性の帯域が、疾患、精神障害、及び負傷患者の医学的治療を有意に改善しており、例えば、リチャード・Ｔ・ペンソンら、性別及び癌、会話快適帯域、腫瘍学、２０００年８月、５（４）、３３６−３４４（Richard T. Penson et al., Sexuality and Cancer: Conversation Comfort Zone; The Oncologist August 2000, 5(4) 336-344）を参照されたく、ここに参考文献として援用する。本考案は、而して、それらの患者にとっての快適性の帯域を有効化及び改善し、医学的治療を改善することができる。
【００９３】
実施例３
[0089]少なくとも１つの第１の投影画像を少なくとも１つの第２の実画像の上に重畳することによる、（ｉ）運営、指令、管理、及び制御、の改善、及び（ｉｉ）その２Ｄ及び／又は３Ｄレンダリング娯楽画像又は映像の容易化。
【００９４】
ビジターセンター及び操作環境
[0090]ビジターセンターは、多くの場合、２つの異なる分離された帯域を利用しており、即ち、（ｉ）ビジターセンターの表面には、外部の環境、即ち、遺跡公園、動物園、庭園など、を眺めるために複数のガラス壁及び窓が設置されている。窓は、見学者に実画像（実画像単独）を見させており、ここに、「実」という用語は、操作されていない画像、即ち、定義された場所の物体のリアルタイム画像をいう。それでも、それらのセンターの内側部分には、１つ又はそれ以上の映画館様の音声映像室が設置されている。映写室は、見学者に非実画像（非実画像単独）を見させている。指令室、制御施設、及び操作キャビネット、例えば、車中運転者の操作環境、航空機パイロットの操作環境、クレーンオペレーターの操作環境、ダビンチ（daVinci）（登録商標）遠隔ロボット手術システムの場合の手術室、など、は同様に設計されている。
【００９５】
[0091]考案の１つの実施形態では、本考案は、前記２つの異なった部分又は様式の両方を統合型機能モジュールへ相乗的に一体化したこれまでにない新奇性のある設計において、（ｉ）少なくとも１つの２Ｄ又は３Ｄ画面又は同じ観賞用実画像又は実スキームの少なくとも一部分と、（ｉｉ）少なくとも１つの２Ｄ又は３Ｄ画面又は同じ観賞用非実画像又は非実（例えばビデオの様な）スキームの少なくとも一部分とを、同時一斉に視聴者に見せることができまたオペレータに操作させることのできる設計を開示している。考案の別の実施形態では、本考案は、これまでにない新奇性のある２Ｄ又は３Ｄ画面において、実画像と非実画像の前記同時重畳を可能にするように上述技術がそのガラス壁に埋め込まれている２Ｄ又は３Ｄ画面を開示している。
【００９６】
陳列窓
[0092]考案の別の実施形態では、開示されている本考案は、これまでにない新奇性のある陳列箱設計において、窓の少なくとも一部分が、少なくとも一時的に、即ち少なくとも或る一期間だけ、少なくとも部分的に透過性となる、陳列窓設計である。この場合、店の外部の見物人は、前記窓を介して、店の所定の場所に現在陳列されている商品の実画像を見ることができ、またその間、彼／彼女には、同じ半透過性窓へ同時発生的に映し出されている１つ又はそれ以上の投影画像又は映像が見える。実物体と映し出される広告（投影映像又は投影画像など）とのこの新しい混合体は、「受動的な」窓と店内部の壁への受動的映像投影を有するありきたりの店に比べて、店の市場適合性を有意に高める。
【００９７】
本考案の更なる実施形態
[0093]少なくとも１つの第１の投影画像を少なくとも１つの第２の実画像の上に重畳する技術を概略的に示し拘束のないやり方で実証するべく、本考案の一連の様々な実施形態をこれにより非限定的に提示する。
【００９８】
[0094]考案の１つの実施形態では、本考案は、幾つかのガラス層を異なった色でくもらせ、それ（調節可能画面）へ投影されるフレーム１つ１つと相関付けて最良な解像度を得るための選択肢を与える、これまでにない新奇性のある設計を開示している。
【００９９】
[0095]考案の別の実施形態では、本考案は、映し出される映画コンテンツに加わる合成物の外部の実際の現場を投影させることを開示している。
【０１００】
[0096]考案の別の実施形態では、本考案は、瞬時に消える「投影画面」であって、それを取り巻く視界を背景として有している投影画面を開示している。
【０１０１】
[0097]考案の別の実施形態では、本考案は、自動遮光するように適合されている窓であって、車両（列車、バス、など）の後部席の窓並びにサンルーフ又は何らかのガラス開口用としての、前記技術を用いて可能になる窓を開示している。
【０１０２】
[0098]考案の別の実施形態では、本考案は、運転席について、入射する光の量を（例えば乳児のために）制御する手段を開示している。
【０１０３】
[0099]考案の別の実施形態では、本考案は、後部席搭乗者のプライバシーを提供するための手段を開示している。
【０１０４】
[0100]考案の別の実施形態では、本考案は、運転中のリスクを運転席からの専用制御により低減するための手段を開示している。
【０１０５】
[0101]考案の別の実施形態では、本考案は、広告用の単色画面を開示している。
【０１０６】
[0102]考案の別の実施形態では、本考案は、ベッドとベッドの間にプライバシーのために使用される病院のカーテンを開示している。既存のカーテンは、洗濯するのが非常に難しく（高価で多くのエネルギーを奪う）、患者を病院で死なせることにならないとも限らない。
【０１０７】
[0103]考案の別の実施形態では、本考案は、照明システムにおいて、昨今、作動していないときは「不可視」の照明システムを持ちたいとの要望が建築家や顧客からあることから、ＬＣ箔に封止部の色と同色の顔料を導入し、隠れ照明システムのガラス覆いに埋め込み、オフ時にはＬＣが自身を封止部には何もないかのように見えさせ、オン時にはＬＣが開いて光を通過させる、ということの実施可能性を考えた照明システムを開示している。これに関し、米国特許第５７６４３１６号が認知されており、ここに参考文献として援用する。
【０１０８】
[0104]考案の別の実施形態では、本考案は、ガラス張りの会議室の透過性ホワイトボードを開示しており、ホワイトボードが必要になればガラスを半透明に変えればよい。
【０１０９】
[0105]考案の別の実施形態では、本考案は、エレベータの壁、扉、及びそれの窓、を開示している。透過性物理的要素１００でのエネルギー使用を低減するためのシステムの概略図を提示している図１ａ−図１ｄをこれより参照してゆく。参照番号１１０及び１２０は、透過性物理的要素１００の透過性部分と非透過性部分である。図１ａでは、透過性物理的要素は全面的に非透過性である。図１ｂ−１ｄは、透過性部分１２０の異なった配置を示している。透過性部分１２０の異なった配置間の切り換えは、パワーディマー装置（図示せず）によって行われている。
【０１１０】
[0106]透過性物理的要素２１０で覆われている陳列箱２００の概略図を提示している図２ａ及び図２ｂをこれより参照してゆく。本考案の特定の実施形態によれば、陳列箱の内容物（特に宣伝したい目的物２４０）が透過性物理的要素２１０によって提供される画像と組み合わされている。限定するわけではないが、具体的にいうと、透過性部分２３０は所定の目的物２４０が視界に入るようにさせている。非透過性又は半透過性の画像２２０を陳列箱２００の内容物の上へ重畳させることができる。
【０１１１】
[0107]透過性物理的要素によって形成されている間仕切施設の概略図を提示している図３をこれより参照してゆく。図３に示されている様に、透過性物理的要素は、透過性状態と非透過性状態の間で切り換えることができる。上述要素は、所定の画像又は他の装飾的構成を掲げることができる。
【符号の説明】
【０１１２】
１００  透過性物理的要素
１１０  透過性部分
１２０  非透過性部分
２００  陳列箱
２１０  透過性物理的要素
２２０  非透過性又は半透過性の画像
２３０  透過性部分
２４０  目的物
【図１】
0003197317.tif 000004
【図２】
0003197317.tif 000005
【図３】
0003197317.tif 000006
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
熱制御型デバイス（ＨＣＤ：heat controlled device）でのエネルギー使用を低減するためのシステムにおいて、
ａ．透過性調節デバイス（ＴＡＤ:transparency adjustment device）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、
ｂ．熱制御デバイスであって、（ｉ）壁に囲まれた閉鎖された空洞と、（ｉｉ）前記空洞の中の温度を制御するように適合されている温度計と、を備える熱制御デバイスと、を備えており、
前記ＴＡＤが、前記空洞壁の少なくとも一部分に埋め込まれており、更に、前記ＴＡＤが、前記空洞を開くことなく当該空洞の内容物を見えるようにすることによって前記温度計エネルギー消費を低減している、システム。
【請求項２】
請求項１に記載のシステムにおいて、前記透過性物理的要素が液晶（ＬＣ）フィルムを備えている、システム。
【請求項３】
請求項１に記載のシステムにおいて、前記透過性状態のセットが更に完全に透けている状態を含んでいる、システム。
【請求項４】
請求項１に記載のシステムにおいて、前記負荷が複合キャパシタ／抵抗器負荷を備えている、システム。
【請求項５】
請求項１に記載のシステムにおいて、前記パワーディマー装置が、前記負荷にパワー供給するパワースイッチと、前記パワースイッチを制御して選択可能にオンにしたりオフにしたりする制御回路と、を備えている、システム。
【請求項６】
請求項５に記載のシステムにおいて、前記負荷を駆動するために、当該負荷へ印加される出力電圧はＡＣ電圧を備えており、よってＤＣ電圧は、たとえあったとしても、せいぜいＡＣ電圧の量の０．５％である、システム。
【請求項７】
請求項５に記載のシステムにおいて、前記パワースイッチが前記負荷と直列に接続されている、システム。
【請求項８】
請求項２に記載のシステムにおいて、前記パワーディマー装置が、前記負荷にパワー供給するパワースイッチと、前記パワースイッチを制御して選択可能にオンにしたりオフにしたりする制御回路とを備え、前記パワースイッチが、前記ＬＣフィルムと直列に接続されている一対の反直列ＭＯＳＦＥＴスイッチを備えている、システム。
【請求項９】
請求項５に記載のシステムにおいて、前記パワースイッチが、ダイオードブリッジと、前記ダイオードブリッジを介して前記負荷と直列に接続されているＭＯＳＦＥＴスイッチと、を備えている、システム。
【請求項１０】
請求項１に記載のシステムにおいて、前記負荷へ印加されるＡＣ電圧が擬似台形形態をしている、システム。
【請求項１１】
請求項１に記載のシステムにおいて、前記負荷へ印加されるＡＣ電圧が円錐台正弦波形態を有している、システム。
【請求項１２】
請求項２に記載のシステムにおいて、前記液晶フィルムがガラス物体の中へラミネート加工されており、それにより前記ガラス物体の透過性が制御されるようになっている、システム。
【請求項１３】
請求項１２に記載のシステムにおいて、前記ガラス物体が、窓ペイン、窓、ガラス扉ペイン、及びガラス扉、のうちの１つを形成している、システム。
【請求項１４】
請求項５に記載のシステムにおいて、前記負荷へ印加されるＡＣ電圧が、前記制御回路によって確定された電圧レベルに切頭されている円錐台正弦波形態を有していて、前記パワースイッチを介して印加されている、システム。
【請求項１５】
請求項２に記載のシステムにおいて、前記液晶フィルムについて最大定格電圧レベルが定義されており、前記パワーディマー装置は前記液晶フィルムの前記最大定格電圧レベルを超えない既定の最大電圧レベルを有している、システム。
【請求項１６】
請求項５に記載のシステムにおいて、前記パワースイッチがゲートを備える入力点を有しており、前記制御回路は前記パワースイッチの前記入力点を制御するドライバ回路を介して当該パワースイッチへ接続されている、システム。
【請求項１７】
請求項５に記載のシステムにおいて、前記制御回路が、入来ＡＣ電圧レベルとユーザー選択基準電圧を受信し比較するように作動し且つ前記入来ＡＣ電圧レベルが前記ユーザー選択基準電圧に達しているときには前記負荷へ印加される正弦波ＡＣ電圧の切頭をトリガする出力を生成するように作動する比較器を含んでいる、システム。
【請求項１８】
請求項１６に記載のシステムにおいて、前記制御回路が絶縁回路を介して前記ドライバ回路へ接続されている、システム。
【請求項１９】
請求項４に記載のシステムであって、更に、前記複合負荷に並列に配置されていて当該複合負荷へ印加されるＡＣ電圧を増加させるように作動するキャパシタを備えている、システム。
【請求項２０】
請求項５に記載のシステムであって、更に、ＺＶＣ（ゼロ電圧クロッシング）予測回路構成を備えているシステムにおいて、前記ＺＶＣ（ゼロ電圧クロッシング）予測回路構成によってゼロか又はせいぜい既定の小レベル未満の電圧の存在が前記パワースイッチを跨いで呈せられると予測されない限り前記パワースイッチがオンにされない、システム。
【請求項２１】
請求項２０に記載のシステムにおいて、前記ＺＶＣ（ゼロ電圧クロッシング）予測回路構成は「浮動」期間中のＬＣ電圧が変化しないものと仮定している、システム。
【請求項２２】
請求項５に記載のシステムであって、更に、前記パワースイッチを跨いで接続されているＺＶＣ（ゼロ電圧クロッシング）検出回路構成を備えているシステムにおいて、前記ＺＶＣ検出回路構成によって前記パワースイッチを跨いで電圧があったとしても非常に小さい電圧しかないことが検出されない限り当該パワースイッチはオンにされない、システム。
【請求項２３】
請求項２２に記載のシステムであって、前記ＺＶＣ検出回路構成が、前記パワースイッチの端子Ｐ−ＶＤＤ１及び端子ＬＣ−ＶＤＤ１を跨ぐ正弦入力電圧の正負半周期をそれぞれ測定するように作動する、システム。
【請求項２４】
請求項２２に記載のシステムにおいて、前記容量性負荷が、複合キャパシタ／抵抗器負荷を備えており、前記システムは更に前記複合容量性／抵抗性負荷に並列にキャパシタを備えている、システム。
【請求項２５】
請求項１に記載のシステムにおいて、前記パワーディマー装置がユーザーによって手動で制御可能である、システム。
【請求項２６】
請求項１に記載のシステムにおいて、前記パワーディマー装置がＰＣ又はスマートホームシステムの様なコンピューター化されたシステムによって制御可能である、システム。
【請求項２７】
請求項１に記載のシステムにおいて、前記空洞が、冷蔵庫、オーブン、ボイラー、電子レンジ、エンジン、から成る群から選択されている、システム。
【請求項２８】
請求項１に記載のシステムにおいて、前記空洞が追加的に扉を備えている、システム。
【請求項２９】
請求項２８に記載のシステムにおいて、前記扉が追加的に封止ゴムを備えている、システム。
【請求項３０】
請求項１に記載のシステムにおいて、前記ＴＡＤが前記空洞壁の異なった場所に埋め込まれている、システム。
【請求項３１】
請求項１に記載のシステムにおいて、前記ＴＡＤが前記空洞壁に沿って可動である、システム。
【請求項３２】
熱制御型デバイス（ＨＣＤ：heat controlled device）でのエネルギー使用を低減するためのシステムにおいて、
ａ．透過性調節デバイス（ＴＡＤ:transparency adjustment device）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、
ｂ．熱制御デバイスであって、（ｉ）封止手段を有するシールを備える壁に囲まれた空洞と、（ｉｉ）前記空洞の中の温度を制御するように適合されている温度計と、を備える熱制御デバイスと、を備えており、
前記ＴＡＤが、前記空洞壁の少なくとも一部分に埋め込まれており、更に、前記ＴＡＤが、前記空洞を開くことなく当該空洞の内容物を見えるようにすることによって前記封止手段の腐食を低減している、システム。
【請求項３３】
閉鎖された空洞を遮光するためのシステムにおいて、
ａ．透過性調節デバイス（ＴＡＤ）を少なくとも部分的に備える少なくとも１つの表面であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備えている、透過性調節デバイス（ＴＡＤ）を少なくとも部分的に備える少なくとも１つの表面と、
ｂ．空洞であって、（ｉ）当該空洞の内部と（ｉｉ）当該空洞の外部の間の少なくとも１つの表面バファリングを備える空洞と、を備えており、
前記パワーディマーが、前記透過性物理的要素の透過性状態の変化によって前記空洞の遮光を制御している、システム。
【請求項３４】
請求項３３に記載のシステムにおいて、前記空洞が、自動車、トラック、航空機、エレベータ、列車、バス、及び船艇、から成る群から選択されている、システム。
【請求項３５】
請求項３３に記載のシステムにおいて、前記空洞が、自動車であり、前記ＴＡＤが、前記自動車の窓、サンルーフ、及びそれらの組合せ、から成る群から選択された表面に埋め込まれている、システム。
【請求項３６】
共用部屋でのプライバシーを提供するためのシステムにおいて、
ａ．Ｎを１より大きい整数として複数のＮ個の空間と、
ｂ．複数のＮ−１個の透過性調節デバイス（ＴＡＤ）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備える透過性調節デバイス（ＴＡＤ）と、を備えており、
前記Ｎ−１個のＴＡＤのそれぞれが幾つかの前記個人空間同士を分離している、システム。
【請求項３７】
照明システムの隠蔽のためのシステムにおいて、
ａ．少なくとも１つの表面であって、Ｎ個のパラメータによって特徴付けられていて、当該Ｎ個のパラメータのうちの少なくとも１つは透過性パラメータである、少なくとも１つの表面と、
ｂ．前記少なくとも１つの第１の表面の中へ陥凹式に嵌め込まれている照明システムと、
ｃ．少なくとも１つの透過性調節デバイス（ＴＡＤ）であって、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤは前記照明システムを覆うように構成されている、その様な透過性調節デバイス（ＴＡＤ）と、を備えており、
前記ＴＡＤが前記照明システムの作動と同期して透過状態になるように構成されている、システム。
【請求項３８】
画像と動的に相互作用する画面において、
構造化された層に構築されている複数のＮ個の透過性調節デバイス（ＴＡＤ）であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤのそれぞれは、色によって特徴付けられている、その様な複数のＮ個の透過性調節デバイス（ＴＡＤ）を備えており、
前記層のそれぞれが独立に異なった透過性状態へ構成されるように適合されており、それにより、画面は当該画面に投影される画像の所定部分を転写するように適合されている、画面。
【請求項３９】
投影画像と実物体を重畳するための画面において、
構造化された層に構築されている透過性調節デバイス（ＴＡＤ）であって、当該ＴＡＤは、
（ｉ）電気的振る舞いが容量性負荷のそれである透過性物理的要素と、
（ｉｉ）ＡＣ電流を前記透過性物理的要素へ提供して不透過と完全透過の間の透過性状態のセットを生成させるように作動するパワーディマー装置と、を備え、
当該ＴＡＤは投影機と物体との間に配設されている、その様なＴＡＤ、を備えており、
前記ＴＡＤが、前記投影機によって当該ＴＡＤに投影される画像を少なくとも部分的に転写するように構成されており、それにより、前記画像と前記物体が重畳される、画面。